(57)【要約】【課題】シャワーヘッド装着用使い捨てビデノズルを提供する。【解決手段】シャワーヘッドの噴出口面を覆う噴出口面カバー部であって、その内側に、シャワーヘッドからの噴出水を受け集める水受け凹部が形成された噴出口面カバー部と、前記噴出口面カバー部の外側より突出した中空棒状の膣内挿入部と、からなるシャワーヘッド装着用使い捨てビデノズルであって、前記膣内挿入部は、長手方向に延びる外側が丸味を帯びた複数の縁部と、該縁部と縁部を連接する面部とを備え、そして前記面部及びその両隣の前記縁部とで溝部を形成し、また前記膣内挿入部の先端部及び前記面部は、前記水受け凹部に受け集められた水を吐出させる適当数の吐出口を備えて成り、前記吐出口は、該吐出口から外へ水が渦流を形成して吐出されるように、前記膣内挿入部の長手方向及び周方向の両方に対して各々、所定角度傾斜して形成されて成る、シャワーヘッド装着用使い捨てビデノズル。【選択図】図１
2007007244.tif 000002
【特許請求の範囲】
【請求項１】
シャワーヘッドの噴出口面を覆う噴出口面カバー部であって、その内側に、シャワーヘッドからの噴出水を受け集める水受け凹部が形成された噴出口面カバー部と、
前記噴出口面カバー部の外側より突出した中空棒状の膣内挿入部と、
からなるシャワーヘッド装着用使い捨てビデノズルであって、
前記膣内挿入部は、長手方向に延びる外側が丸味を帯びた複数の縁部と、該縁部と縁部を連接する面部とを備え、そして
前記面部及びその両隣の前記縁部とで溝部を形成し、また
前記膣内挿入部の先端部及び前記面部は、前記水受け凹部に受け集められた水を吐出させる適当数の吐出口を備えて成り、
前記吐出口は、該吐出口から外へ水が渦流を形成して吐出されるように、前記膣内挿入部の長手方向及び周方向の両方に対して各々、所定角度傾斜して形成されて成る
ことを特徴とする、シャワーヘッド装着用使い捨てビデノズル。
【請求項２】
シャワーヘッドと、請求項１記載のシャワーヘッド装着用使い捨てビデノズルから成ることを特徴とする、ビデノズル交換自在なビデシャワー具。
【発明の詳細な説明】
【技術分野】
【０００１】
本発明は、シャワーヘッド装着用使い捨てビデノズル及び、該ビデノズルを装着して使用するビデノズル交換自在なビデシャワー具に関するものである。
【背景技術】
【０００２】
近年の健康・衛生思想の普及や女性の社会進出の高まりにより、女子高生や働く女性において、自分の体臭を気にする人が非常に多い。女性の人体局部を洗浄するために用いられるビデも、一般に広く普及するものとなった。
ビデには、浴室に専用設備として設置される先付けタイプのもの、アダプターを介して浴室に設置される後付けタイプのもの、温水洗浄便座に組み込まれたユニットタイプのもの、携帯用のもの等、多くの種類が提案されている。
先付けタイプやユニットタイプのビデは、外陰部に水又は温水を噴出させるため、外陰部を洗浄することは可能であるが、膣内まで充分に洗浄することはできない。携帯用のビデは容器を手で押すことにより容器内の洗浄水を膣内に噴出させて用いるため、充分な洗浄力を得ることは困難である。
これに対して、アダプターを介して浴室のシャワーヘッドに設置することが可能な使い捨てビデ（後付けタイプ）は、外陰部及び膣内を充分に洗浄することが可能であり、一度使用した後は廃棄するので衛生的である。
【０００３】
図９に、登録実用新案第３０４１４９３号公報（特許文献１）に開示された、従来の使い捨てビデ（ビデノズル１）の一例を示す。ビデノズル１は、膨出部２を図中矢印方向に指で押し、開口縁部３を、シャワーヘッド４に設けられたシャワーフェイス部５の外周縁部６に嵌合させて、使用する。ビデノズル１の先端ノズル部７の外周面８には還流溝９が形成されており、還流溝９の中央部先端寄りに、水又は温水を噴出させるための噴出口１０が設けられている。
図１０に、図９のビデノズル１の拡大した部分破断斜視図を示す。図１０において、突端面１１には、噴出口１２が設けられている。
特許文献１に開示されたビデノズル１は、使用時に先端ノズル部７を膣内に挿入し、シャワーヘッド４からの水又は温水を噴出口１０及び１２から噴出させることにより、膣内を洗浄する。膣内に噴出された水又は温水は、膣内を洗浄した後、還流溝９を通って膣外に排出される。
【特許文献１】登録実用新案第３０４１４９３号公報
【発明の開示】
【発明が解決しようとする課題】
【０００４】
特許文献１のビデノズル１においては、図１０に示されるように、膣内を洗浄するための水又は温水は、噴出口１２から先端ノズル部７の長手方向（図中、下方向）に、また噴出口１０から先端ノズル部７の長手方向と直交する方向（図中、図面上部方向）に噴出されるのみである。
膣内壁には多数のヒダや凹凸が存在するため、噴出口１０及び噴出口１２から水又は温水を噴出させるのみでは、噴出口１０及び噴出口１２近傍の膣内壁が主に洗浄されるにすぎず、ヒダや凹凸により遮蔽された膣内部分を洗浄することは困難である。
また、噴出口１０は還流溝９内に存在するため、噴出口１０からの洗浄水と、還流溝９内を通って膣外に排出される還流水とが混合し、還流水によって洗浄水が汚染される。
従って、特許文献１のビデノズル１を使用しても、膣内を充分に洗浄することはできない。
【０００５】
本発明者は、前記従来技術の問題点を解決すべく鋭意研究した結果、洗浄水を渦流を形成して膣内前方に噴出させることにより、また、使用時における洗浄水と還流水との混合を無くすことにより、膣内を充分に洗浄することが可能であることを見出し、本発明を完成させた。
【０００６】
本発明の目的とするところは、膣内を充分に洗浄することが可能なシャワーヘッド装着用使い捨てビデノズル及び、該ビデノズルを装着して使用するビデノズル交換自在なビデシャワー具を提供することにある。
【課題を解決するための手段】
【０００７】
即ち、本発明のシャワーヘッド装着用使い捨てビデノズルは、
シャワーヘッドの噴出口面を覆う噴出口面カバー部であって、その内側に、シャワーヘッドからの噴出水を受け集める水受け凹部が形成された噴出口面カバー部と、
前記噴出口面カバー部の外側より突出した中空棒状の膣内挿入部と、
からなるシャワーヘッド装着用使い捨てビデノズルであって、
前記膣内挿入部は、長手方向に延びる外側が丸味を帯びた複数の縁部と、該縁部と縁部を連接する面部とを備え、そして
前記面部及びその両隣の前記縁部とで溝部を形成し、また
前記膣内挿入部の先端部及び前記面部は、前記水受け凹部に受け集められた水を吐出させる適当数の吐出口を備えて成り、
前記吐出口は、該吐出口から外へ水が渦流を形成して吐出されるように、前記膣内挿入部の長手方向及び周方向の両方に対して各々、所定角度傾斜して形成されて成る
ことを特徴とする。
また、本発明のビデノズル交換自在なビデシャワー具は、シャワーヘッドと、本発明のシャワーヘッド装着用使い捨てビデノズルから成ることを特徴とする。
【発明の効果】
【０００８】
本発明のシャワーヘッド装着用使い捨てビデノズルは、膣内挿入部の面部に備えられた吐出口から水又は温水が、洗浄水として、渦流を形成して外へ吐出されるため、膣内壁に多数のヒダや凹凸が存在する膣内を充分に洗浄することが可能である。また、本発明のシャワーヘッド装着用使い捨てビデノズルでは、膣内を洗浄した水又は温水が、還流水として、溝部から膣外に排出されるため、還流水によって洗浄水が汚染されることがない。
本発明のビデノズル交換自在なビデシャワー具は、シャワーヘッドに、本発明のシャワーヘッド装着用使い捨てビデノズルを容易に装着することができるので、ビデ又はシャワーとして、適宜切り換えて使用することができる。
【発明を実施するための最良の形態】
【０００９】
実施例１：
以下、本発明を図面を参照してより詳細に説明する。
図１に、本発明の実施例１のシャワーヘッド装着用使い捨てビデノズルを示す。ビデノズル１３は、シャワーヘッドの噴出口面を覆う噴出口面カバー部１４と、該噴出口面カバー部１４の外側より突出した中空棒状の膣内挿入部１５とからなる。膣内挿入部１５は、長手方向に延びる外側が丸味を帯びた複数の縁部１６と、該縁部１６と縁部１６を連接する面部１７とを備えている。面部１７及びその両隣の縁部１６とで溝部１８を形成する。本例では、面部１７の左右に二条の溝部１８が形成されている。
膣内挿入部１５の先端部は吐出口１９を備えて成り、膣内に挿入し易いよう、丸味を帯びて形成されている。二条の溝部１８の一方（図中、右側の溝部１８）は吐出口２０を備えて成り、使用時に吐出口１９から、図中破線で示すように洗浄水Ｗ１が斜め前方に向けて吐出される。また使用時に吐出口２０から、実線破線で示すように洗浄水Ｗ２が斜め前方に向けて吐出される。吐出口２０は、後に詳しく説明するように、膣内挿入部１５の長
手方向及び周方向の両方に対して各々、所定角度傾斜して形成されて成るため、吐出口２０からの洗浄水Ｗ２は、斜め前方に向けて吐出された後膣内壁に当たり、更に膣内壁に沿って左回りの渦流を形成しながら前方の膣内部に向かって吐出される。
本例では、二条の溝部１８の一方に吐出口２０が備えられているが、面部１７の中央部に吐出口２０が備えられていてもよい。
【００１０】
図２に、図１をＩ方向から見た上面図を示す。四つの縁部１６は一緒になって、丸味を帯びた先端部を形成する。本例では、四つの面部１７は、中空円筒面部として形成されている。面部１７は湾曲しているので、一つの面部１７と該面部１７の左右の縁部１６との間に、二条の溝部１８が形成される。四つの面部１７の先端部には、それぞれ一つの吐出口１９が形成されている。また、二条の溝部１８の一方には吐出口２０が形成されており、二条の溝部１８の他方には、吐出口２０は形成されていない。従って、吐出口１９からの洗浄水Ｗ１及び吐出口２０からの洗浄水Ｗ２は、膣内を洗浄した後還流水となり、吐出口２０が形成されていない側の溝部１８を通って膣外に排出されるので、洗浄水と還流水とが混合することはない。
【００１１】
図３に、図１をＩＩ方向から見た斜視図を示す。図３から明らかなように、本例では、四つの面部１７のうち、対向する一組の面部１７にはそれぞれ、所定の間隔を設けて三つの吐出口２０が形成されており、対向する他の一組の面部１７にはそれぞれ、所定の間隔を設けて二つの吐出口２０が、前記三つの吐出口２０とは膣内挿入部１５の長手方向の位置を異ならしめて、形成されている。
【００１２】
図４（Ａ）に、図３のＡ−Ａ線に沿った断面図を示す。また図４（Ｂ）に、図３の膣内挿入部１５の一部分（破線で囲んだＩＩＩ部分）についての、Ｂ−Ｂ線に沿った断面図を示す。
図４（Ａ）において、吐出口２０（線Ｐに沿う方向に形成されている）は、該吐出口２０が形成された面部１７に対して、即ち、膣内挿入部１５の周方向に対して、角度βを有して形成されている。この場合、面部１７は円筒面であるが、面部１７に形成された吐出口２０の開口部は線Ｍに沿う（線Ｍを含む）方向の面に含まれるので、線Ｍに沿う（線Ｍを含む）方向の面の傾きを、吐出口２０が形成された面部１７の傾きとして定義する。
角度βは、１０度ないし８０度、好ましくは３０度ないし６０度、最も好ましくは４０度ないし５０度、例えば４５度である。
図４（Ｂ）において、吐出口２０（線Ｐに沿う方向に形成されている）は、膣内挿入部１５の軸線Ｌに対して、即ち、膣内挿入部１５の長手方向に対して、角度αを有して形成されている。
角度αは、１０度ないし８０度、好ましくは３０度ないし６０度、最も好ましくは４０度ないし５０度、例えば４５度である。
【００１３】
図５は、本発明のシャワーヘッド装着用使い捨てビデノズルの、膣内挿入部に設けられた吐出口の傾きを説明するための図である。
平面Ｓは、面部１７の吐出口２０が形成された面であり、線Ｍを含み、軸線Ｌに平行である。図５において、吐出口２０（線Ｐに沿う方向に形成されている）は、軸線Ｌに対して角度αだけ、平面Ｓ（又は、線Ｍ）に対して角度βだけ、傾斜して形成されていることが判る。
【００１４】
実施例２：
図６に、本発明の実施例２のシャワーヘッド装着用使い捨てビデノズルを示す。本例のビデノズル２１は、二条の溝部１８のうち図中左側の溝部１８が吐出口２０を備えて成り、洗浄水Ｗ２が、膣内壁に沿って右回りの渦流を形成しながら前方の膣内部に向かって吐出されること以外は、図１に示される実施例１のビデノズル１３と同一の構造を有する。
【００１５】
前記実施例１及び前記実施例２のビデノズルにおいて、材質は医療用のポリオレフィン、例えば医療用のポリプロプレン、ポリエチレン等であってよい。前記ビデノズルの膣内挿入部及び噴出口面カバー部、並びに前記膣内挿入部に設ける縁部、面部及び溝部の大きさ、形状、色等は、本発明の目的を達成し得る範囲内において、適宜選択してよい。
同様に、前記膣内挿入部に設ける吐出口の数、位置、大きさ及び形状も、充分な洗浄力が得られるように選択する。
ビデノズルの膣内挿入部が、噴出口面カバー部に対して回転可能に設けられていてもよい。
本発明のビデノズルは、慣用の成形法、例えば分割金型を用いる射出成形法により、製造することができる。なお、本発明のビデノズルの膣内挿入部の厚さは、傾斜した吐出口を形成し得るように、充分な厚さとする。
本発明のビデノズルは、使用時に洗浄水に右渦流を形成せしめるタイプと洗浄水に左渦流を形成せしめるタイプとを製造し得るので、右渦流タイプ一つと左渦流タイプ一つとを組み合わせて使用すると、１種のみを使用する場合よりも、膣内をより充分に洗浄することができる。
【００１６】
実施例３：
図７に、本発明のビデノズルを装着したビデシャワー具の一例を示す。図７（Ａ）に示されるように、シャワーヘッド２２にビデノズル２３を装着して使用する。図７（Ｂ）は、図７（Ａ）をビデノズル２３側から見た図である。
【００１７】
実施例４：
図８に、本発明のビデノズルを装着したビデシャワー具の別の例を示す。図８（Ａ）に示されるように、シャワーヘッド２４にビデノズル２５を装着して使用する。シャワーヘッド２４には取手２６が設けられている。従って、図８（Ｂ）に示されるように、使用時に、取手２６のシャワーヘッド２４への取り付け部分を手の指２７の間に挟持することにより、ビデノズル２５の膣内挿入部を、膣内に容易に挿入することができる。
【００１８】
本発明のビデノズルを装着して使用するビデシャワー具は、前記ビデノズルが交換自在で且つ前記ビデノズルが使用し易いように、適するデザインのシャワーヘッドを使用するとよい。
【図面の簡単な説明】
【００１９】
【図１】本発明の実施例１のシャワーヘッド装着用使い捨てビデノズルを示す斜視図である。
【図２】図１をＩ方向から見た上面図である。
【図３】図１をＩＩ方向から見た斜視図である。
【図４】図４（Ａ）は、図３のＡ−Ａ線に沿った断面図であり、図４（Ｂ）は、図３の膣内挿入部１５の一部分（破線で囲んだＩＩＩ部分）についての、Ｂ−Ｂ線に沿った断面図である。
【図５】本発明のシャワーヘッド装着用使い捨てビデノズルの、膣内挿入部に設けられた吐出口の傾きを説明するための図である。
【図６】本発明の実施例２のシャワーヘッド装着用使い捨てビデノズルを示す斜視図である。
【図７】本発明のビデノズルを装着したビデシャワー具の一例を示す図である。
【図８】本発明のビデノズルを装着したビデシャワー具の別の例を示す図である。
【図９】従来の使い捨てビデの一例を示す斜視図である。
【図１０】図９のビデノズルの拡大した部分破断斜視図である。
【符号の説明】
【００２０】
１，１３，２１，２３，２５：ビデノズル    ２：膨出部
３：開口縁部                              ４，２２，２４：シャワーヘッド
５：シャワーフェイス部                    ６：外周縁部
７：先端ノズル部                          ８：外周面
９：還流溝                                １０，１２，１９，２０：噴出口
１１：突端面                              １４：噴出口面カバー部
１５：膣内挿入部                          １６：縁部
１７：面部                                １８：溝部
２６：取手                                ２７：手の指
【図１】
2007007244.tif 000003
【図２】
2007007244.tif 000004
【図３】
2007007244.tif 000005
【図４】
2007007244.tif 000006
【図５】
2007007244.tif 000007
【図６】
2007007244.tif 000008
【図７】
2007007244.tif 000009
【図８】
2007007244.tif 000010
【図９】
2007007244.tif 000011
【図１０】
2007007244.tif 000012
【手続補正書】
【提出日】平成17年8月10日(2005.8.10)
【手続補正１】
【補正対象書類名】明細書
【補正対象項目名】０００５
【補正方法】変更
【補正の内容】
【０００５】
本発明者は、前記従来技術の問題点を解決すべく鋭意研究した結果、洗浄水を渦流を形成して膣内前方に噴出させることにより、また、使用時における洗浄水と還流水との混合を生じにくくすることにより、膣内を充分に洗浄することが可能であることを見出し、本発明を完成させた。
【手続補正２】
【補正対象書類名】明細書
【補正対象項目名】０００８
【補正方法】変更
【補正の内容】
【０００８】
本発明のシャワーヘッド装着用使い捨てビデノズルは、膣内挿入部の面部に備えられた吐出口から水又は温水が、洗浄水として、渦流を形成して外へ吐出されるため、膣内壁に多数のヒダや凹凸が存在する膣内を充分に洗浄することが可能である。また、本発明のシャワーヘッド装着用使い捨てビデノズルでは、膣内を洗浄した水又は温水が、還流水として、溝部から膣外に排出されるように誘導されるため、還流水による洗浄水の汚染が減少する。
本発明のビデノズル交換自在なビデシャワー具は、シャワーヘッドに、本発明のシャワーヘッド装着用使い捨てビデノズルを容易に装着することができるので、ビデ又はシャワーとして、適宜切り換えて使用することができる。
【手続補正３】
【補正対象書類名】明細書
【補正対象項目名】００１０
【補正方法】変更
【補正の内容】
【００１０】
図２に、図１をＩ方向から見た上面図を示す。四つの縁部１６は一緒になって、丸味を帯びた先端部を形成する。本例では、四つの面部１７は、中空円筒面部として形成されている。面部１７は湾曲しているので、一つの面部１７と該面部１７の左右の縁部１６との間に、二条の溝部１８が形成される。四つの面部１７の先端部には、それぞれ一つの吐出口１９が形成されている。また、二条の溝部１８の一方には吐出口２０が形成されており、二条の溝部１８の他方には、吐出口２０は形成されていない。従って、吐出口１９からの洗浄水Ｗ１及び吐出口２０からの洗浄水Ｗ２は、膣内を洗浄した後還流水となり、吐出
口２０が形成されていない側の溝部１８を通って膣外に排出されるように誘導されるので、洗浄水と還流水との混合が生じにくい。
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
シャワーヘッドの噴出口面を覆う噴出口面カバー部であって、その内側に、シャワーヘッドからの噴出水を受け集める水受け凹部が形成された噴出口面カバー部と、
前記噴出口面カバー部の外側より突出した中空棒状の膣内挿入部と、
からなるシャワーヘッド装着用使い捨てビデノズルであって、
前記膣内挿入部は、長手方向に延びる外側が丸味を帯びた複数の縁部と、該縁部と縁部を連接する円筒面部とを備え、そして
前記円筒面部と該円筒面部の左右の該縁部との間に二条の溝部が形成され、また
前記膣内挿入部の先端部及び前記二条の溝部の一方は、前記水受け凹部に受け集められた水を吐出させる適当数の吐出口を備えて成り、
前記吐出口は、該吐出口から外へ水が渦流を形成して吐出されるように、前記膣内挿入部の長手方向及び周方向の両方に対して各々、斜め前方に向けて３０度ないし６０度の角度で傾斜して形成されて成り、
前記二条の溝部の他方は、吐出口を有せず、そして膣内を洗浄した後の還流水を膣外に排出するために形成されて成る
ことを特徴とする、シャワーヘッド装着用使い捨てビデノズル。
【請求項２】
シャワーヘッドと、請求項１記載のシャワーヘッド装着用使い捨てビデノズルから成ることを特徴とする、ビデノズル交換自在なビデシャワー具。
【手続補正２】
【補正対象書類名】明細書
【補正対象項目名】０００７
【補正方法】変更
【補正の内容】
【０００７】
即ち、本発明のシャワーヘッド装着用使い捨てビデノズルは、
シャワーヘッドの噴出口面を覆う噴出口面カバー部であって、その内側に、シャワーヘッドからの噴出水を受け集める水受け凹部が形成された噴出口面カバー部と、
前記噴出口面カバー部の外側より突出した中空棒状の膣内挿入部と、
からなるシャワーヘッド装着用使い捨てビデノズルであって、
前記膣内挿入部は、長手方向に延びる外側が丸味を帯びた複数の縁部と、該縁部と縁部を連接する円筒面部とを備え、そして
前記円筒面部と該円筒面部の左右の該縁部との間に二条の溝部が形成され、また
前記膣内挿入部の先端部及び前記二条の溝部の一方は、前記水受け凹部に受け集められた水を吐出させる適当数の吐出口を備えて成り、
前記吐出口は、該吐出口から外へ水が渦流を形成して吐出されるように、前記膣内挿入部の長手方向及び周方向の両方に対して各々、斜め前方に向けて３０度ないし６０度の角度で傾斜して形成されて成り、
前記二条の溝部の他方は、吐出口を有せず、そして膣内を洗浄した後の還流水を膣外に排出するために形成されて成る
ことを特徴とする。
【手続補正３】
【補正対象書類名】明細書
【補正対象項目名】０００９
【補正方法】変更
【補正の内容】
【０００９】
実施例１：
以下、本発明を図面を参照してより詳細に説明する。
図１に、本発明の実施例１のシャワーヘッド装着用使い捨てビデノズルを示す。ビデノズル１３は、シャワーヘッドの噴出口面を覆う噴出口面カバー部１４と、該噴出口面カバー部１４の外側より突出した中空棒状の膣内挿入部１５とからなる。膣内挿入部１５は、長手方向に延びる外側が丸味を帯びた複数の縁部１６と、該縁部１６と縁部１６を連接する面部１７とを備えている。面部１７及びその両隣の縁部１６とで溝部１８を形成する。本例では、面部１７の左右に二条の溝部１８が形成されている。
膣内挿入部１５の先端部は吐出口１９を備えて成り、膣内に挿入し易いよう、丸味を帯びて形成されている。二条の溝部１８の一方（図中、右側の溝部１８）は吐出口２０を備えて成り、使用時に吐出口１９から、図中破線で示すように洗浄水Ｗ１が斜め前方に向けて吐出される。また使用時に吐出口２０から、実線破線で示すように洗浄水Ｗ２が斜め前方に向けて吐出される。吐出口２０は、後に詳しく説明するように、膣内挿入部１５の長手方向及び周方向の両方に対して各々、所定角度傾斜して形成されて成るため、吐出口２０からの洗浄水Ｗ２は、斜め前方に向けて吐出された後膣内壁に当たり、更に膣内壁に沿って左回りの渦流を形成しながら前方の膣内部に向かって吐出される。
【手続補正４】
【補正対象書類名】明細書
【補正対象項目名】００１２
【補正方法】変更
【補正の内容】
【００１２】
図４（Ａ）に、図３のＡ−Ａ線に沿った断面図を示す。また図４（Ｂ）に、図３の膣内挿入部１５の一部分（破線で囲んだＩＩＩ部分）についての、Ｂ−Ｂ線に沿った断面図を示す。
図４（Ａ）において、吐出口２０（線Ｐに沿う方向に形成されている）は、該吐出口２０が形成された面部１７に対して、即ち、膣内挿入部１５の周方向に対して、角度βを有して形成されている。この場合、面部１７は円筒面であるが、面部１７に形成された吐出口２０の開口部は線Ｍに沿う（線Ｍを含む）方向の面に含まれるので、線Ｍに沿う（線Ｍを含む）方向の面の傾きを、吐出口２０が形成された面部１７の傾きとして定義する。
角度βは、好ましくは４０度ないし５０度、例えば４５度である。
図４（Ｂ）において、吐出口２０（線Ｐに沿う方向に形成されている）は、膣内挿入部１５の軸線Ｌに対して、即ち、膣内挿入部１５の長手方向に対して、角度αを有して形成
されている。
角度αは、好ましくは４０度ないし５０度、例えば４５度である。